【手続補正書】
【提出日】平成28年6月9日(2016.6.9)
【手続補正１】
【補正対象書類名】明細書
【補正対象項目名】００５２
【補正方法】変更
【補正の内容】
【００５２】
本開示の様々な実施形態及び実施が開示される。開示された実施形態は、例証するために提示されるもので、制限するためのものではない。上記の実施及び他の実施は以下の請求項の範囲内である。本開示が、開示されたもの以外の実施形態及び実施により実行され得ることは当業者には理解されよう。上記の実施形態及び実施例の詳細には、本発明の基礎をなす原理から逸脱することなく多くの変更を加えることができる点は当業者に認識されるであろう。本発明は、本明細書に記載される例示的な実施形態及び実施例によって不当に限定されるものではない点、また、こうした実施例及び実施形態はあくまで例示を目的として示されるにすぎないのであって、本発明の範囲は本明細書において以下に記載する「特許請求の範囲」によってのみ限定されるものである点は理解すべきである。更に、本発明に対する様々な改変及び変形が、本開示の趣旨及び範囲から逸脱することなく当業者にとって明らかとなろう。したがって、本出願の範囲は、以下の「特許請求の範囲」によってのみ定められるべきものである。発明の実施態様の一部を以下の項目［１］−［２８］に記載する。
［１］
バリアフィルムであって、
基材と、
前記基材に隣接するベースポリマー層と、
前記ベースポリマー層に隣接する酸化物層と、
前記酸化物層に隣接する接着性調整層と、
前記接着性調整層に隣接する上塗りポリマー層と、
を備える、バリアフィルム。
［２］
前記基材と前記上塗りポリマーとの間に、複数の前記ベースポリマー層と前記酸化物層との交互層を更に備える、項目１に記載のバリアフィルム。
［３］
前記基材が、可撓性透明フィルムを備える、項目１又は２に記載のバリアフィルム。
［４］
前記ベースポリマー層が、アクリレートを含む、項目１〜３のいずれかに記載のバリアフィルム。
［５］
前記酸化物層が、無機ケイ素アルミニウム酸化物の層を備える、項目１〜４のいずれかに記載のバリアフィルム。
［６］
前記上塗りポリマー層に塗布される無機層を更に備える、項目１〜５のいずれかに記載のバリアフィルム。
［７］
前記無機層が、無機ケイ素アルミニウム酸化物の層を含む、項目６に記載のバリアフィルム。
［８］
前記上塗りポリマー層が、アクリレートを含む、項目１〜７のいずれかに記載のバリアフィルム。
［９］
前記接着性調整層が、接着促進層である、項目１〜８のいずれかに記載のバリアフィルム。
［１０］
前記接着促進層がシランを含む、項目１〜９のいずれかに記載のバリアフィルム。
［１１］
前記接着性調整層が、リリース層である、項目１〜１０のいずれかに記載のバリアフィルム。
［１２］
前記接着性調整層が、前記基材のうちの１つと前記ベースポリマー層との間、前記ベースポリマー層と前記酸化物材料との間、及び前記酸化物材料と前記上塗りポリマー層との間にある、項目１〜１１のいずれかに記載のバリアフィルム。
［１３］
バリアフィルムを作製するプロセスであって、
基材を提供する工程と、
ベースポリマー材料を前記基材に塗布する工程と、
酸化物材料を前記ベースポリマー材料に塗布する工程と、
接着性調整材料を前記酸化物材料に塗布する工程と、
上塗りポリマー層を前記接着性調整材料上に形成する工程と、
を含むプロセス。
［１４］
前記ベースポリマー材料を前記基材に塗布する工程が、ベースポリマー材料を前記基材上に蒸着させて、前記蒸着させたベースポリマー材料を硬化してベースポリマー層を形成する工程を含む、項目１３に記載のプロセス。
［１５］
前記酸化物材料を塗布する工程が、酸化物材料を前記ベースポリマー材料の上にスパッタ堆積する工程を含む、項目１３又は１４に記載のプロセス。
［１６］
ベースポリマー材料を前記基材に塗布することと、酸化物材料を前記ベースポリマー材料に塗布することとを繰返して、前記ベースポリマー材料と前記酸化物材料との交互層を、前記基材と前記上塗りポリマー層との間に生成する工程を更に含む、項目１３〜１５のいずれかに記載のプロセス。
［１７］
前記上塗りポリマー層がアクリレートを含み、前記上塗りポリマー層を形成する工程が前記接着性調整材料及び前記アクリレートを共蒸着して前記共蒸着した接着性調整材料及びアクリレートを硬化する工程を含む、項目１３〜１６のいずれかに記載のプロセス。
［１８］
前記接着性調整材料及び前記上塗りポリマー層のうち少なくとも１つを硬化する工程を更に含む、項目１３〜１７のいずれかに記載のプロセス。
［１９］
前記ベースポリマー材料が、アクリレートを含む、項目１３〜１８のいずれかに記載のプロセス。
［２０］
前記酸化物材料を塗布する工程が、無機ケイ素アルミニウム酸化物の層を前記ベースポリマー層に塗布する工程を含む、項目１３〜１９のいずれかに記載のプロセス。
［２１］
無機材料を前記上塗りポリマー層に塗布する工程を更に含む、項目１３〜２０のいずれかに記載のプロセス。
［２２］
前記無機層を塗布する工程が、無機ケイ素アルミニウム酸化物の層を塗布する工程を含む、項目２１に記載のプロセス。
［２３］
前記接着性調整層が、前記基材のうちの１つと前記ベースポリマー層との間、前記ベースポリマー層と前記酸化物材料との間、及び前記酸化物材料と前記上塗りポリマー層との間に配置される、項目１３〜２２のいずれかに記載のプロセス。
［２４］
バリアフィルムであって、
基材と、
ベースポリマー層と、
酸化物層と、
接着性調整層と、
上塗りポリマー層と、
を備える、バリアフィルム。
［２５］
前記接着性調整層が、前記基材のうちの１つと前記ベースポリマー層との間、前記ベースポリマー層と前記酸化物材料との間、及び前記酸化物材料と前記上塗りポリマー層との間に配置される、項目２４に記載のバリアフィルム。
［２６］
前記接着性調整層が、前記上塗りポリマー層の上に配置される、項目２４に記載のバリアフィルム。
［２７］
前記基材が、（コ）ポリマーフィルム又は電子デバイスから選択され、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、項目１〜１２又は２４〜２６のいずれかに記載のバリアフィルム。
［２８］
前記基材が、（コ）ポリマーフィルム又は電子デバイスから選択され、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、項目１３〜２３のいずれかに記載のプロセス。
【手続補正２】
【補正対象書類名】特許請求の範囲
【補正対象項目名】全文
【補正方法】変更
【補正の内容】
【特許請求の範囲】
【請求項１】
バリアフィルムであって、
基材と、
前記基材に隣接するベースポリマー層と、
前記ベースポリマー層に隣接する酸化物層と、
前記酸化物層に隣接する蒸着された接着性調整層と、
前記接着性調整層に隣接する上塗りポリマー層と、
を備え、
前記基材が、可撓性透明フィルムを備え、
前記ベースポリマー層が、アクリレートを含み、
前記酸化物層が、無機ケイ素アルミニウム酸化物の層を備え、
前記上塗りポリマー層が、アクリレートを含む
バリアフィルム。
【請求項２】
前記基材と前記上塗りポリマーとの間に、複数の前記ベースポリマー層と前記酸化物層との交互層を更に備える、請求項１に記載のバリアフィルム。
【請求項３】
前記接着促進層がシランを含む、請求項１に記載のバリアフィルム。
【請求項４】
前記接着性調整層が、リリース層である、請求項１に記載のバリアフィルム。
【請求項５】
バリアフィルムを作製する方法であって、
基材を提供する工程と、
ベースポリマー材料を前記基材に塗布する工程と、
酸化物材料を前記ベースポリマー材料に塗布する工程と、
接着性調整材料を前記酸化物材料に蒸着する工程と、
上塗りポリマー層を前記接着性調整材料上に形成する工程と、
を含み、
前記ベースポリマー材料を前記基材に塗布する工程が、ベースポリマー材料を前記基材上に蒸着させて、前記蒸着させたベースポリマー材料を硬化してベースポリマー層を形成する工程を含み、
前記酸化物材料を塗布する工程が、酸化物材料を前記ベースポリマー材料の上にスパッタ堆積する工程を含み、
前記ベースポリマー材料が、アクリレートを含み、
前記酸化物材料を塗布する工程が、無機ケイ素アルミニウム酸化物の層を前記ベースポリマー層に塗布する工程を含む、方法。